(57)【要約】【課題】意図せず前面開口部がドアによって閉塞されてしまうことを回避することができる衣類処理装置を提供する。【解決手段】本実施形態に係る衣類処理装置は、衣類処理装置本体と、前記衣類処理装置本体の前面開口部を開閉するドアと、前記ドアから突出した突出状態および前記ドアに収容された収容状態に切り換え可能に設けられる突出部と、使用者による操作に応じて、前記突出部を前記突出状態および前記収容状態に切り換える操作部と、を備え、前記ドアは、使用者による前記操作部の操作により前記突出部が前記収容状態に切り換えられた状態で前記前面開口部を閉じることにより、前記前面開口部を閉塞した閉塞状態になる。【選択図】図１
2020065597.tif 000002
【特許請求の範囲】
【請求項１】
衣類処理装置本体と、
前記衣類処理装置本体の前面開口部を開閉するドアと、
前記ドアから突出した突出状態および前記ドアに収容された収容状態に切り換え可能に設けられる突出部と、
使用者による操作に応じて、前記突出部を前記突出状態および前記収容状態に切り換える操作部と、
を備え、
前記ドアは、使用者による前記操作部の操作により前記突出部が前記収容状態に切り換えられた状態で前記前面開口部を閉じることにより、前記前面開口部を閉塞した閉塞状態になる衣類処理装置。
【請求項２】
前記操作部は、当該操作部の操作時に使用者が操作する操作子を備え、
前記操作子は、使用者が前記操作部を操作しない非操作時においては、前記操作部から突出しない非突出状態にある請求項１に記載の衣類処理装置。
【請求項３】
前記衣類処理装置本体は、受け部を備え、
前記突出部は、前記ドアが前記閉塞状態にあるときに前記突出状態に切り換えられて前記受け部内に挿入されるものであり、前記突出部が前記突出状態に切り換えられている状態で前記ドアが前記閉塞状態から前記前面開口部を開放する方向に回動するときに前記受け部に接触する部分に、前記突出部の前記受け部内からの退出を円滑にする退出円滑部を備えている請求項１または２に記載の衣類処理装置。
【請求項４】
前記衣類処理装置本体は、受け部を備え、
前記突出部は、前記ドアが前記閉塞状態にあるときに前記突出状態に切り換えられて前記受け部内に挿入されるものであり、
前記受け部は、前記突出部が突出状態に切り換えられている状態で前記ドアが前記閉塞状態から前記前面開口部を開放する方向に回動するときに前記突出部に接触する部分に、前記突出部の前記受け部内からの退出を円滑にする退出円滑部を備えている請求項１または２に記載の衣類処理装置。
【請求項５】
前記突出部は、前記ドアが前記前面開口部を開放した開放状態にあるときに前記突出状態に切り換えられる請求項１から４の何れか１項に記載の衣類処理装置。
【請求項６】
前記突出部は、前記ドアを前記閉塞状態でロックするドアロック部としても機能する請求項１から５の何れか１項に記載の衣類処理装置。
【発明の詳細な説明】
【技術分野】
【０００１】
本発明の実施形態は、衣類処理装置に関する。
【背景技術】
【０００２】
近年、衣類に所定の処理を施す衣類処理装置の一例である洗濯機においては、意図せず洗濯機本体の前面開口部がドアによって閉塞されてしまうことを回避するための技術の開発が進められている。例えば、特許文献１に開示されているドラム式洗濯乾燥機は、ドアの裏面に設けられている操作凸部が操作されると、ドアを閉塞状態でロックするための係止フックが「解除状態」で維持されるように構成されている。この構成によれば、操作凸部を操作して係止フックを「解除状態」に維持しておけば、仮にドアが前面開口部を閉塞してしまったとしても、係止フックによってドアが閉塞状態でロックされてしまうことを回避することができる。よって、仮にドアが前面開口部を閉塞してしまったとしても、そのドアを洗濯機本体の内側からでも開放させることが可能となる。
【先行技術文献】
【特許文献】
【０００３】
【特許文献１】特開２０１７−０１８２３２号公報
【発明の概要】
【発明が解決しようとする課題】
【０００４】
しかしながら、特許文献１の構成では、操作凸部を操作して係止フックを「解除状態」に維持したとしても、ドアが閉塞状態でロックされることは回避できるものの、ドアが前面開口部を閉塞した閉塞状態になってしまうことは回避できない。つまり、外観上は、ドアが閉塞状態になってしまうことから、例えば、ドアが閉塞状態でロックされてしまったのではないかという不安感が生じるおそれがある。
【０００５】
そこで、本実施形態は、意図せず前面開口部がドアによって閉塞されてしまうことを回避することができる衣類処理装置を提供する。
【課題を解決するための手段】
【０００６】
本実施形態に係る衣類処理装置は、衣類処理装置本体と、前記衣類処理装置本体の前面開口部を開閉するドアと、前記ドアから突出した突出状態および前記ドアに収容された収容状態に切り換え可能に設けられる突出部と、使用者による操作に応じて、前記突出部を前記突出状態および前記収容状態に切り換える操作部と、を備える。前記ドアは、使用者による前記操作部の操作により前記突出部が前記収容状態に切り換えられた状態で前記前面開口部を閉じることにより、前記前面開口部を閉塞した閉塞状態になる。
【図面の簡単な説明】
【０００７】
【図１】第１実施形態に係る洗濯機の構成例を概略的に示す正面図
【図２】第１実施形態に係る突出部が突出状態に切り換えられている状態例を概略的に示すドアの正面図
【図３】第１実施形態に係る突出部が収容状態に切り換えられている状態例を概略的に示すドアの正面図
【図４】第１実施形態に係る突出部が突出状態に切り換えられている状態における操作部の構成例を概略的に示す横断平面図
【図５】第１実施形態に係る突出部が突出状態に切り換えられている状態における操作部の構成例を概略的に示す縦断正面図
【図６】第１実施形態に係る突出部が収容状態に切り換えられている状態における操作部の構成例を概略的に示す横断平面図
【図７】第１実施形態に係る突出部が収容状態に切り換えられている状態における操作部の構成例を概略的に示す縦断正面図
【図８】第１実施形態に係る突出部および受け部の構成例を概略的に示す横断平面図
【図９】第２実施形態に係る突出部および受け部の構成例を概略的に示す横断平面図
【発明を実施するための形態】
【０００８】
以下、衣類処理装置に係る複数の実施形態について図面を参照しながら説明する。なお、各実施形態において実質的に同一の要素には同一の符号を付し、説明を省略する。
【０００９】
（第１実施形態）
図１に例示する洗濯機１０は、衣類に所定の処理、この場合、少なくとも、洗い処理、すすぎ処理、脱水処理を施す衣類処理装置の一例である。また、洗濯機１０は、回転槽の回転中心軸が水平方向あるいは水平方向に対して傾斜する方向に延びる、いわゆるドラム式の洗濯機である。洗濯機１０は、その外郭を構成する洗濯機本体１１の内部に、貯水可能な有底円筒状の水槽、水槽内に水を供給する給水機構、水槽内の水を機外に排出する排水機構、水槽内に回転可能に設けられた有底円筒状のドラムなどを備えている。水槽の前面開口部およびドラムの前面開口部は、洗濯機本体１１の前面に設けられている前面開口部１２に対向している。洗濯機本体１１の前面開口部１２は、この場合、円形状に開口しており、使用者は、この前面開口部１２を介して、衣類などの洗濯物をドラム内に投入可能である。
【００１０】
洗濯機１０は、洗濯機本体１１の前面開口部１２を開閉するドア１３を備えている。ドア１３は、洗濯機本体１１の前面開口部１２に対応する円形状をなしており、ヒンジ部１４によって、この場合、左右方向に回動可能に設けられている。また、ドア１３の外周部には、当該ドア１３を開放する際に使用者によって操作される図示しないドアハンドルが設けられている。
【００１１】
洗濯機１０には、意図せず前面開口部１２がドア１３によって閉塞されてしまうことを回避するための創意工夫が施されている。次に、その具体的な構成例について、詳細に説明する。ドア１３には、ラッチ２０および操作部２１が備えられている。ラッチ２０は、突出部の一例であり、図２に例示するドア１３の周端面から突出した突出状態、および、図３に例示するドア１３の内部に収容された収容状態に切り換え可能に設けられている。操作部２１は、使用者による手動操作に応じて、ラッチ２０を突出状態および収容状態に切り換えるための構成要素である。この場合、ラッチ２０および操作部２１は、前面開口部１２を閉塞した閉塞状態のドア１３において、洗濯機１０の正面側から見て、右部の上部に設けられている。
【００１２】
次に、これらラッチ２０および操作部２１の具体的な構成例について、詳細に説明する。図４から図７に例示するように、操作部２１は、ラッチ軸２２、中間部材２３、操作子２４などを備えている。ラッチ軸２２および中間部材２３は、操作部２１の外郭を構成するケース２５の内部に設けられている。操作子２４は、ケース２５の表面部に設けられており、使用者は、ドア１３の表面側から当該操作子２４を操作可能である。ケース２５は、この場合、矩形の箱状に設けられている。
【００１３】
ラッチ２０は、ドア１３が前面開口部１２を閉塞した閉塞状態において洗濯機１０の前側となる面が傾斜面２０ａとなっており、洗濯機１０の後側となる面が平行面２０ｂとなっている。傾斜面２０ａは、ドア１３が前面開口部１２を閉塞した閉塞状態において、洗濯機１０の左右方向に対して、ドア１３の径方向内側から外側に向かって平面状に徐々に後退するように傾斜する面となっている。なお、傾斜面２０ａは、例えば湾曲状に傾斜する面としてもよいし、途中で傾斜角度が変化する傾斜面としてもよく、種々の傾斜形状を採用することができる。
【００１４】
ラッチ軸２２は、ドア１３が前面開口部１２を閉塞した閉塞状態において、洗濯機１０の左右方向に沿って直線状に延びる長尺な棒状に形成されている。そして、このラッチ軸２２の一端部、この場合、ドア１３が前面開口部１２を閉塞した閉塞状態において当該ドア１３の径方向外側となる端部には、ラッチ２０の基端部が固定されている。また、ラッチ軸２２は、ケース２５の内部に設けられた支持板２５ａによって、矢印Ａ１，Ａ２方向に沿ってスライド移動可能に支持されている。矢印Ａ１，Ａ２方向は、ドア１３が前面開口部１２を閉塞した閉塞状態において洗濯機１０の左右方向に沿う方向である。
【００１５】
また、この支持板２５ａとラッチ２０との間において、ラッチ軸２２の周囲には、付勢ばね２６が設けられている。付勢ばね２６は、ラッチ軸２２およびラッチ２０を、矢印Ａ２方向、つまり、ドア１３の径方向外側に向かって付勢している。即ち、付勢ばね２６は、ラッチ軸２２およびラッチ２０を、当該ラッチ２０が突出状態に切り換わる方向に付勢している。また、ラッチ軸２２のうち支持板２５ａよりも矢印Ａ１側、つまり、ドア１３の径方向内側となる部分には、突起２２ａが設けられている。この場合、突起２２ａは、ラッチ軸２２から下方に向かって直線状に突出している。また、ラッチ２０の基端部には、当該ラッチ２０がケース２５から抜けてしまうことを防止するための抜け止め用のリブ２０ｃが設けられている。
【００１６】
中間部材２３は、この場合、ラッチ軸２２の下方に設けられている。図５に例示するように、中間部材２３は、矩形状の本体部２３ａと、この本体部２３ａから直線状に突出する突起２３ｂと、を備えている。本体部２３ａは、回動軸２３ｃを回動中心として、矢印Ｂ１，Ｂ２方向に回動可能に設けられている。回動軸２３ｃは、ケース２５内に設けられている図示しない支持部に回動可能に支持されている。また、回動軸２３ｃの周囲には、付勢ばね２３ｄが設けられている。付勢ばね２３ｄは、本体部２３ａ、換言すれば、中間部材２３全体を矢印Ｂ２方向に付勢している。突起２３ｂは、本体部２３ａから上方、つまり、ラッチ軸２２側に向かって直線状に突出している。そして、突起２３ｂの先端部は、ラッチ軸２２の突起２２ａに係合している。なお、中間部材２３の矢印Ｂ２方向への回動は、突起２３ｂが上方に向かった状態となる回動位置にて、図示しないストッパにより規制されるようになっている。
【００１７】
操作子２４は、操作子本体部２４ａおよび摘み部２４ｂを備えている。操作子本体部２４ａは、この場合、円板状をなしており、ケース２５の表面において矢印Ｂ１，Ｂ２方向に回動可能に設けられている。つまり、操作子２４の回動可能方向は、中間部材２３の回動可能方向と同じである。操作子本体部２４ａの裏面には、当該操作子本体部２４ａに一体的に設けられた回動軸２４ｃが設けられている。そして、この回動軸２４ｃの先端部は、中間部材２３の本体部２３ａの中心部に接続されている。
【００１８】
これにより、操作子本体部２４ａ、換言すれば、操作子２４全体が矢印Ｂ１，Ｂ２方向に回動すると、これに伴って、中間部材２３全体も矢印Ｂ１，Ｂ２方向に回動するようになっている。つまり、操作子本体部２４ａと中間部材２３全体は、一体的に回動するようになっている。
【００１９】
摘み部２４ｂは、操作子本体部２４ａの表面に設けられている。この場合、摘み部２４ｂは、半円状に形成されている。また、図６に例示するように、摘み部２４ｂは、操作子本体部２４ａの表面において回動軸２４ｄを回動中心として矢印Ｃ１，Ｃ２方向に回動可能に設けられている。使用者は、操作部２１を操作する操作時においては、摘み部２４ｂを操作子本体部２４ａの表面から突出する突出状態に回動させる。これにより、使用者は、操作子本体部２４ａの表面から突出する摘み部２４ｂを摘まんで、操作子本体部２４ａ、換言すれば、操作子２４全体を容易に回動させることができる。一方、使用者は、操作部２１を操作しない非操作時においては、摘み部２４ｂを操作子本体部２４ａの表面から突出しない非突出状態に回動させる。非突出状態に回動された摘み部２４ｂは、操作子本体部２４ａの表面に沿った状態、つまり、平行な状態となる。よって、使用者は、摘み部２４ｂを摘まむことが困難または不能な状態となり、ひいては、操作子２４を回動させることが困難または不能な状態となる。
【００２０】
また、摘み部２４ｂを回動可能に支持する回動軸２４ｄは、ラッチ２０がドア１３の周端部から突出した突出状態に切り換えられている状態、つまり、使用者によって操作子２４が操作されておらず、付勢ばね２６の付勢力によってラッチ２０がドア１３の周端面から突出した状態において、水平方向に延びるように設けられている。そのため、ラッチ２０がドア１３の周端部から突出した突出状態に切り換えられている状態において、使用者が摘み部２４ｂから手を離すと、当該摘み部２４ｂは、その自重によって下方に回動して、操作子本体部２４ａの表面から突出しない非突出状態に自動的に回動するようになっている。
【００２１】
次に、操作部２１の構成例について、洗濯機本体１１側の構成例も参照しながら説明すする。図８に例示するように、洗濯機本体１１側には、受け部３０が設けられている。受け部３０は、前面開口部１２の周囲であって、且つ、ドア１３が前面開口部１２を閉塞した閉塞状態において操作部２１のラッチ２０に対向する部分に設けられている。この場合、受け部３０は、一方、この場合、ドア１３が前面開口部１２を閉塞した閉塞状態において操作部２１のラッチ２０側となる部分が開放した矩形の収容部を構成している。そして、この受け部３０内には、ドア１３が前面開口部１２を閉塞した閉塞状態において突出状態に切り換えられたラッチ２０が挿入される。受け部３０内にラッチ２０が挿入された状態において、受け部３０の開口端部は、ラッチ２０の傾斜面２０ａの基端部側の角部と同じ位置、あるいは、当該角部よりも外側に位置するように設けるとよい。
【００２２】
以上のように構成される洗濯機１０において、使用者は、ドア１３を閉塞する場合には、操作部２１を操作する。具体的には、使用者は、摘み部２４ｂを突出状態とし、この摘み部２４ｂを摘まんで操作子２４全体を矢印Ｂ１方向に回動させる。これにより、中間部材２３全体が矢印Ｂ１方向に回動してラッチ軸２２が矢印Ａ１方向にスライド移動し、このラッチ軸２２とともにラッチ２０も矢印Ａ１方向にスライド移動する。これにより、図６および図７に例示するように、ラッチ２０は、ドア１３の内部に収容された収容状態に切り換えられる。
【００２３】
そして、このように操作部２１の操作によりラッチ２０が収容状態に切り換えられた状態で、使用者は、ドア１３を前面開口部１２を閉塞する閉塞方向に回動させる。これにより、ドア１３は、前面開口部１２を閉塞した閉塞状態となる。このとき、使用者は、摘み部２４ｂを摘まんだままの状態でドア１３を閉塞方向に回動させることができる。よって、使用者は、両手によらずとも片手で、ラッチ２０を収容状態に切り換えることができるとともに、ドア１３を閉塞方向に回動させることができる。また、使用者は、ドア１３を閉塞する場合には、操作部２１を操作してラッチ２０を収容状態に切り換えながら、当該ドア１３を閉塞方向に回動させるようにしてもよい。
【００２４】
そして、使用者は、ドア１３を閉塞状態とした状態で、さらに操作部２１を操作することにより、つまり、摘み部２４ｂを摘まんで操作子２４全体を矢印Ｂ２方向に回動させる。これにより、中間部材２３全体が矢印Ｂ２方向に回動してラッチ軸２２が矢印Ａ２方向にスライド移動し、このラッチ軸２２とともにラッチ２０も矢印Ａ２方向にスライド移動する。これにより、図４および図５に例示するように、ラッチ２０は、ドア１３から突出した突出状態に切り換えられて、洗濯機本体１１側の受け部３０内に挿入される。
【００２５】
このように、ドア１３の閉塞状態においてラッチ２０を受け部３０内に挿入させることにより、ドア１３を閉塞状態でロックするドアロック機構として機能させることができる。なお、ラッチ２０は、付勢ばね２６によって突出状態に切り換わる方向に付勢されている。よって、使用者は、意図的に摘み部２４ｂを摘まんで操作子２４全体を矢印Ｂ２方向に回動させなくとも、摘み部２４ｂから手を離すことによりラッチ２０を自動的に突出状態に切り換えることができる。
【００２６】
一方、使用者は、ドア１３を開放する場合には、操作部２１を操作する。具体的には、使用者は、摘み部２４ｂを突出状態とし、この摘み部２４ｂを摘まんで操作子２４全体を矢印Ｂ１方向に回動させる。これにより、中間部材２３全体が矢印Ｂ１方向に回動してラッチ軸２２が矢印Ａ１方向にスライド移動し、このラッチ軸２２とともにラッチ２０も矢印Ａ１方向にスライド移動する。これにより、図６および図７に例示するように、ラッチ２０は、ドア１３の内部に収容された収容状態に切り換えられて、洗濯機本体１１側の受け部３０内から抜き出される。
【００２７】
そして、このように操作部２１の操作によりラッチ２０が収容状態に切り換えられた状態で、使用者は、ドア１３を前面開口部１２を開放する開放方向に回動させる。これにより、ドア１３を、前面開口部１２を開放した開放状態にすることができる。このとき、使用者は、摘み部２４ｂを摘まんだままの状態でドア１３を開放方向に回動させることができる。よって、使用者は、両手によらずとも片手で、ラッチ２０を収容状態に切り換えることができるとともに、ドア１３を開放方向に回動させることができる。
【００２８】
また、使用者は、ドア１３を開放した後においては、操作部２１を操作することによりラッチ２０を突出状態に切り換えることができる。このようにドア１３が開放状態にあるときにラッチ２０が突出状態に切り換えられることにより、仮に開放状態のドア１３が例えば自重により閉塞方向に回動したとしても、当該ドア１３の周端面から突出するラッチ２０の平行面２０ｂが前面開口部１２の周囲に当接するため、それ以上のドア１３の閉塞方向への回動を阻止することができる。つまり、ドア１３が意図せず前面開口部１２を閉塞した閉塞状態になってしまうことを阻止することができる。なお、ラッチ２０は、付勢ばね２６によって突出状態に切り換わる方向に付勢されている。よって、使用者は、ドア１３を開放した後において、意図的に摘み部２４ｂを摘まんで操作子２４全体を矢印Ｂ２方向に回動させなくとも、摘み部２４ｂから手を離すことによりラッチ２０を突出状態に切り換えることができる。
【００２９】
また、洗濯機１０は、洗濯機本体１１の内部からも閉塞状態のドア１３を開いて前面開口部１２を開放することができるように構成されている。具体的に説明すると、前面開口部１２を閉塞した閉塞状態にあるドア１３に対して、当該ドア１３の裏面から所定の大きさ以上の力を与えると、ドア１３は、前面開口部１２を開放する開放方向に回動しようとする。即ち、ラッチ２０が突出状態に切り換えられている状態でドア１３が閉塞状態から前面開口部１２を開放する開放方向に回動しようとする。
【００３０】
このとき、図８に例示するように、ラッチ２０の一部、この場合、ドア１３が前面開口部１２を閉塞した閉塞状態において洗濯機１０の前側となる傾斜面２０ａが、受け部３０の内面、この場合、前面壁の内面に接触して摺動するようになる。そのため、ラッチ２０は、傾斜面２０ａを介して受け部３０の前面壁から押圧力を受けるような状態となり、これにより、矢印Ａ１方向に押されるような状態となる。これにより、ラッチ２０が収容状態に近付くため、ドア１３の開放方向への移動に伴い前側に移動しようとするラッチ２０が受け部３０内から抜け出しやすくなる。
【００３１】
このように、ラッチ２０は、当該ラッチ２０が突出状態に切り換えられている状態でドア１３が閉塞状態から前面開口部１２を開放する開放方向に回動するときに受け部３０の内面に接触する部分が傾斜面２０ａとなっている。そのため、この傾斜面２０ａが、ラッチ２０の受け部３０内からの退出を円滑にする退出円滑部の一例として機能するようになっている。
【００３２】
そして、ラッチ２０が受け部３０内から退出することにより、ドア１３は、その裏面側からの押圧力を受けることによって開放可能な状態となる。よって、この状態のドア１３をさらに裏面側から押すことによって当該ドア１３を開放することができる。また、ドア１３が開放した状態においては、ラッチ２０は、付勢ばね２６による付勢力によって自動的に突出状態に切り換わる。そのため、開放したドア１３が例えば自重によって閉塞方向に回動したとしても、突出状態のラッチ２０の平行面２０ｂが前面開口部１２の周囲に当接することで、ドア１３が閉塞してしまうことを阻止することができる。
【００３３】
以上の通り、洗濯機１０は、洗濯機本体１１の外側からも内側からも閉塞状態のドア１３を開放可能に構成されている。
【００３４】
以上に説明した洗濯機１０によれば、ドア１３が開放状態にあるときにラッチ２０が突出状態に切り換えられることにより、仮に開放状態のドア１３が例えば自重により閉塞方向に回動したとしても、当該ドア１３の周端面から突出するラッチ２０の平行面２０ｂが前面開口部１２の周囲に当接する。そのため、それ以上のドア１３の閉塞方向への回動を阻止することができる。よって、意図せず前面開口部１２がドア１３によって閉塞されてしまうことを回避することができる。
【００３５】
また、洗濯機１０によれば、使用者による操作部２１の操作によりラッチ２０が収容状態に切り換えられた状態でドア１３を前面開口部１２を閉塞する方向に回動させることにより、ドア１３を閉塞状態にすることができるように構成した。つまり、洗濯機１０によれば、使用者により操作部２１が操作されたこと、換言すれば、使用者のドア１３を閉塞しようとする意思が存在することを条件にドア１３の閉塞を許容するように構成した。そのため、使用者の意思によらず意図せず前面開口部１２がドア１３によって閉塞されてしまうことを一層確実に回避することができる。
【００３６】
また、洗濯機１０によれば、操作部２１は、当該操作部２１の操作時に使用者が操作する操作子２４を備えている。この構成によれば、使用者は、操作子２４を操作することで、ラッチ２０の突出状態および収容状態への切り換えを容易に行うことができる。また、操作子２４は、使用者が操作部２１を操作しない非操作時においては、使用者が摘まむ摘み部２４ｂを操作部２１から突出しない非突出状態にすることができる。よって、操作部２１の非操作時においては、摘み部２４ｂが突出して邪魔になることや外観が損なわれることを回避することができる。また、操作部２１の操作時においては、使用者は、突出状態に切り換えられた摘み部２４ｂを摘まんで操作部２１を容易に操作することができる。
【００３７】
また、洗濯機１０によれば、ラッチ２０の一部を構成する傾斜面２０ａは、当該ラッチ２０の受け部３０内からの退出を円滑にする退出円滑部の一例として機能する。この構成によれば、特に、閉塞状態のドア１３を洗濯機本体１１の内部から開けようとする場合に、ラッチ２０の受け部３０内からの退出を円滑にしてドア１３を開放しやすくすることができる。
【００３８】
また、洗濯機１０によれば、ドア１３が前面開口部１２を開放した開放状態にあるときに、操作部２１を操作してラッチ２０を積極的に突出状態に切り換えるようにすることで、意図せず前面開口部１２がドア１３によって閉塞されてしまうことを一層確実に回避することができる。また、洗濯機１０によれば、ドア１３が前面開口部１２を開放した開放状態にあるときに、使用者による操作部２１の操作を介さずとも、付勢ばね２６の付勢力によってラッチ２０が自動的に突出状態に切り換えられるように構成した。この構成によれば、使用者がドア１３を開放した際にラッチ２０を突出状態に切り換える操作を失念したとしても、ラッチ２０を自動的に突出状態に切り換えて、意図せずドア１３が閉塞されてしまうことを回避することができる。
【００３９】
また、洗濯機１０によれば、ラッチ２０は、ドア１３が前面開口部１２を閉塞した閉塞状態において洗濯機本体１１側の受け部３０内に挿入されることにより、ドア１３を閉塞状態でロックするドアロック部としても機能する。そのため、ドア１３を閉塞状態でロックするための専用のドアロック機構、つまり、ドア１３側に設けられるドアフックと、これに対向して洗濯機本体１１側に設けられる係止爪部と、からなる複雑な機構を不要とすることができ、洗濯機１０全体として構造の簡素化を図ることができる。なお、洗濯機１０は、専用のドアロック機構を備え、ラッチ２０および受け部３０からなる機構は、あくまでも補助的なドアロック機構として備える構成としてもよい。
【００４０】
また、洗濯機１０によれば、ドア１３を閉塞する場合には、ラッチ２０を収容状態に切り換えるために操作した摘み部２４ｂを摘まんだままの状態で、そのままドア１３を閉塞方向に回動させることができ、両手によらずとも片手で容易に一連のドア１３の閉塞動作を行うことができる。また、洗濯機１０によれば、ドア１３を開放する場合には、ラッチ２０を収容状態に切り換えるために操作した摘み部２４ｂを摘まんだままの状態で、そのままドア１３を開放方向に回動させることができ、両手によらずとも片手で容易に一連のドア１３の閉塞動作を行うことができる。
【００４１】
ここで、仮に、ラッチ２０の状態を切り換える操作部を洗濯機本体１１側に設けた構成を検討すると、ドア１３を閉塞する場合においても開放する場合においても、使用者は、まず片手で洗濯機本体１１側の操作部を操作しつつ、もう一方の手でドア１３のドアハンドルを操作しなければならない。つまり、ドア１３の開閉動作に際し必ず両手が必要となり、その動作が煩雑となる。洗濯機１０によれば、ドア１３を閉塞する場合においても開放する場合においても、使用者は、片手でドア１３の開閉を行うことができ、より使い勝手の良い洗濯機１０を提供することができる。
【００４２】
また、洗濯機１０によれば、ドア１３を閉塞する場合においても開放する場合においても、操作子２４をいわゆる「ドアハンドル」として使うことができる。よって、この種の洗濯機１０に備えられるドアハンドルを不要とすることも可能であり、洗濯機１０全体としての構造の簡素化を図ることができる。
【００４３】
（第２実施形態）
図９に例示するように、第２実施形態のラッチ４０は、その先端部が矩形状に形成されており、傾斜面を有していない。そして、洗濯機１０は、このラッチ４０に対応して、洗濯機本体１１側に受け部４１を備えている。この受け部４１は、ラッチ４０が突出状態に切り換えられている状態でドア１３が閉塞状態から前面開口部１２を開放する方向に回動するときに当該ラッチ４０に接触する部分、この場合、受け部４１の前面壁が傾斜面４１ａとなっている。そのため、この傾斜面４１ａが、ラッチ４０の受け部４１内からの退出を円滑にする退出円滑部の一例として機能するようになっている。
【００４４】
この傾斜面４１ａは、ドア１３が前面開口部１２を閉塞した閉塞状態において、洗濯機１０の左右方向に対して、ドア１３の径方向内側から外側に向かって平面状に徐々に後退するように傾斜する面となっている。なお、傾斜面４１ａは、例えば湾曲状に傾斜する面としてもよいし、途中で傾斜角度が変化する傾斜面としてもよく、種々の傾斜形状を採用することができる。
【００４５】
洗濯機１０によれば、受け部４１の一部を構成する傾斜面４１ａは、ラッチ４０の受け部４１内からの退出を円滑にする退出円滑部の一例として機能する。この構成によれば、特に、閉塞状態のドア１３を洗濯機本体１１の内部から開けようとする場合に、ラッチ４０の受け部４１内からの退出を円滑にしてドア１３を開放しやすくすることができる。
【００４６】
（その他の実施形態）
本実施形態は、上述した複数の実施形態に限定されるものではなく、その要旨を逸脱しない範囲で種々の変形や拡張を行うことができる。例えば、上述した複数の実施形態を適宜組み合わせて実施してもよい。特に、突出部の一部に退出円滑部を設けるとともに、受け部の一部にも退出円滑部を設けることにより、閉塞状態のドア１３を洗濯機本体１１の内部から一層開けやすくすることができる。
【００４７】
また、突出状態においてラッチ２０，４０がドア１３の端面から突出する突出量は、適宜変更して実施することができる。なお、意図せず前面開口部１２がドア１３によって閉塞されてしまうことを回避できるよう、突出状態におけるラッチ２０，４０の突出量は、十分に大きくすることが好ましい。
【００４８】
また、洗濯機１０は、ラッチ２０，４０を突出状態および収容状態に切り換える駆動装置を備え、ドア１３が開放されたことを条件に、図示しない制御装置から駆動装置に駆動信号を送信して、ラッチ２０，４０を自動的に突出状態に切り換えるように構成してもよい。
【００４９】
また、操作部２１に設ける操作子は、摘み部２４ｂを回動可能に設けた構成に限られるものではなく、使用者が操作部２１を操作しない非操作時において非突出状態にすることができる構成であれば、種々の構成を採用することができる。具体的には、例えば、操作子は、１度押すと飛び出し、もう１度押すと引っ込むプッシュ式の操作子であってもよい。また、操作子は、凹部内に設けられたリブで構成してもよく、この場合、操作子は、使用者が操作部２１を操作しない非操作時あるいは操作する操作時に関わらず、常時、非突出状態となっている構成となる。
【００５０】
また、操作子は、回動操作されるものに限られず、例えば、スライド移動されるものなど、種々の構成を採用することができる。また、ドア１３においてラッチ２０，４０および操作部２１を設ける位置は、適宜変更して実施することができる。
【００５１】
また、本実施形態は、乾燥機能を有する洗濯機にも適用することができる。また、本実施形態は、乾燥機能を有しない洗濯機にも適用することができる。また、本実施形態は、洗濯機能を有しない純粋な衣類乾燥機にも適用することができる。また、本実施形態は、例えば、衣類の消臭、脱臭、除菌など、衣類に対して何らかの処理を施す装置であれば、種々の衣類処理装置に適用することができる。
【００５２】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００５３】
図面中、１０は洗濯機（衣類処理装置）、１１は洗濯機本体（衣類処理装置本体）、１２は前面開口部、１３はドア、２０はラッチ（突出部、ドアロック部）、２０ａは傾斜面（退出円滑部）、２１は操作部、２４は操作子、３０，４１は受け部（ドアロック部）、４１ａは傾斜面（退出円滑部）を示す。
【図１】
2020065597.tif 000003
【図２】
2020065597.tif 000004
【図３】
2020065597.tif 000005
【図４】
2020065597.tif 000006
【図５】
2020065597.tif 000007
【図６】
2020065597.tif 000008
【図７】
2020065597.tif 000009
【図８】
2020065597.tif 000010
【図９】
2020065597.tif 000011